(57)【要約】【目的】  番組情報を効率的に取得することが可能であり、番組情報取得のための動作時間を短くして電力消費を抑制することができるディジタル放送受信装置を提供する。【構成】  このディジタル放送受信装置は、番組情報取得処理を自動実行する（ステップＳ４）。この取得処理で番組情報が得られなかった場合には（ステップＳ５でＮＯ）、例えば１時間待機し（ステップＳ６）、ステップＳ４に戻り、再度の取得処理を行う。一方、前記取得処理で番組情報が得られた場合には、番組情報をメモリ１４に記憶すると共に、この番組情報のなかで最も後に放送される番組の終了時刻を記憶する（ステップＳ７）。各チャンネルについて、前記番組情報のなかで最も後に放送される番組の終了時刻の例えば２４時間前の時刻になると（ステップＳ８でＹＥＳ）、ステップＳ４に戻り、番組情報の自動取得処理を行う。【選択図】        図２
2006165675.tif 000002
【特許請求の範囲】
【請求項１】
受信したディジタル放送波から番組情報を取得し、この取得した番組情報に基づいて電子番組ガイドを表示するように構成されたディジタル放送受信装置において、取得した番組情報に基づいて次回の番組情報自動取得の処理日時を設定する手段と、前記設定された処理日時が到来したときに番組情報を自動取得する処理を実行する手段と、を備えたことを特徴とするディジタル放送受信装置。
【請求項２】
請求項１に記載のディジタル放送受信装置において、前記処理日時は、取得した番組情報のなかの最も後に放送される番組に関する時刻と予め又はユーザ入力により設定された時間の情報とに基づいて、前記時刻の前記時間の前とするように構成されたことを特徴とするディジタル放送受信装置。
【請求項３】
請求項１に記載のディジタル放送受信装置において、前記処理日時は、取得した番組情報のなかの最も後に放送される番組と予め又はユーザ入力により設定された番組数の情報とに基づいて、前記最も後の番組に対して前記番組数の前のタイミングとするように構成されたことを特徴とするディジタル放送受信装置。
【請求項４】
請求項１に記載のディジタル放送受信装置において、番組情報が取得できたときの時刻の履歴を記憶する手段を備えており、前記処理日時は、取得した番組情報のなかの最も後に放送される番組に関する時刻から所定時間前の範囲内で前記履歴により最も良く番組情報を取得できた時刻とするように構成されたことを特徴とするディジタル放送受信装置。
【請求項５】
請求項１乃至請求項４のいずれかに記載のディジタル放送受信装置において、前記処理日時の設定及び番組情報の自動取得処理をチャンネルごとに行うように構成されたことを特徴とするディジタル放送受信装置。
【請求項６】
請求項１乃至請求項５のいずれかに記載のディジタル放送受信装置において、前記設定された処理日時が到来して番組情報を自動取得する処理を試みても番組情報を取得できなかった場合に、予め又はユーザにより設定された時間後に再度の自動取得処理を試みるように構成されたことを特徴とするディジタル放送受信装置。
【請求項７】
請求項１乃至請求項５のいずれかに記載のディジタル放送受信装置において、番組情報が取得できたときの時刻の履歴を記憶する手段を備えており、前記設定された処理日時が到来して番組情報を自動取得する処理を試みても番組情報を取得できなかった場合に、この取得処理から所定時間の範囲内で前記履歴により最も良く番組情報を取得できた時刻に再度の自動取得処理を試みるように構成されたことを特徴とするディジタル放送受信装置。
【請求項８】
請求項６又は請求項７に記載のディジタル放送受信装置において、前記再度の自動取得処理をチャンネルごとに行うように構成されたことを特徴とするディジタル放送受信装置。
【請求項９】
請求項１乃至請求項８のいずれかに記載のディジタル放送受信装置において、放送視聴状態で前記の自動取得又は再度の自動取得を実行するように構成されたことを特徴とするディジタル放送受信装置。
【請求項１０】
請求項１乃至請求項９のいずれかに記載のディジタル放送受信装置において、放送視聴状態でなくても自動的に放送受信のための回路を起動して前記の自動取得又は再度の自動取得を実行するように構成されたことを特徴とするディジタル放送受信装置
【請求項１１】
請求項１乃至請求項１０のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
ディジタル放送では、放送波に番組情報を重畳しており、受信機は前記番組情報に基づいてＥＰＧ（電子番組ガイド）表示を行うことが可能である（特許文献１参照）。
【特許文献１】特開２００３−１６３８４９号公報
【発明の開示】
【発明が解決しようとする課題】
【０００３】
しかしながら、特に地上ディジタル放送では、全放送局の全時間帯の番組情報を取得しようとした場合、常にチューナが動作し続けることになり、消費電力が増大する。特に、バッテリを利用する携帯型等のディジタル放送受信装置においては、消費電力の増大を抑制することは重要な課題である。また、ＥＰＧを見たいときに手動の操作で番組情報の取得を行う構成では、ＥＰＧを表示するまでに長い時間を要する。また、単に定期的に（所定時間間隔で）番組情報を自動取得することとした場合は、十分な確率で番組情報の取得ができないと予想される。
【０００４】
この発明は、上記の事情に鑑み、番組情報を効率的に取得することが可能であり、番組情報取得のための動作時間を短くして電力消費を抑制することができるディジタル放送受信装置を提供することを目的とする。
【課題を解決するための手段】
【０００５】
この発明のディジタル放送受信装置は、上記課題を解決するために、受信したディジタル放送波から番組情報を取得し、この取得した番組情報に基づいて電子番組ガイドを表示するように構成されたディジタル放送受信装置において、取得した番組情報に基づいて次回の番組情報自動取得の処理日時を設定する手段と、前記設定された処理日時が到来したときに番組情報を自動取得する処理を実行する手段と、を備えたことを特徴とする。
【０００６】
上記の構成であれば、番組情報自動取得の処理日時は、以前に取得した番組情報に基づいて設定されるので、単に定期的に自動取得処理を行う場合に比べて、取得処理の回数を少なくできる可能性があり、チューナ２等の電力消費を抑制することが可能になる。
【０００７】
上記構成のディジタル放送受信装置において、前記処理日時は、取得した番組情報のなかの最も後に放送される番組に関する時刻と予め又はユーザ入力により設定された時間の情報とに基づいて、前記時刻の前記時間の前とするように構成されていてもよい。
【０００８】
或いは、上記構成のディジタル放送受信装置において、前記処理日時は、取得した番組情報のなかの最も後に放送される番組と予め又はユーザ入力により設定された番組数の情報とに基づいて、前記最も後の番組に対して前記番組数の前のタイミングとするように構成されていてもよい。
【０００９】
或いは、上記構成のディジタル放送受信装置において、番組情報が取得できたときの時刻の履歴を記憶する手段を備えており、前記処理日時は、取得した番組情報のなかの最も後に放送される番組に関する時刻から所定時間前の範囲内で前記履歴により最も良く番組情報を取得できた時刻とするように構成されていてもよい。
【００１０】
これら構成のディジタル放送受信装置において、前記処理日時の設定及び番組情報の自動取得処理をチャンネルごとに行うように構成されていてもよい。
【００１１】
また、これら構成のディジタル放送受信装置において、前記設定された処理日時が到来して番組情報を自動取得する処理を試みても番組情報を取得できなかった場合に、予め又はユーザにより設定された時間後に再度の自動取得処理を試みるように構成されていてもよい。
【００１２】
或いは、これら構成のディジタル放送受信装置において、番組情報が取得できたときの時刻の履歴を記憶する手段を備えており、前記設定された処理日時が到来して番組情報を自動取得する処理を試みても番組情報を取得できなかった場合に、この取得処理から所定時間の範囲内で前記履歴により最も良く番組情報を取得できた時刻に再度の自動取得処理を試みるように構成されていてもよい。たことを特徴とするディジタル放送受信装置。
【００１３】
前述の再度の自動取得処理をチャンネルごとに行うこととしてもよい。
【００１４】
また、これら構成のディジタル放送受信装置において、放送視聴状態で前記の自動取得又は再度の自動取得を実行するように構成されていてもよい。或いは、放送視聴状態でなくても自動的に放送受信のための回路を起動して前記の自動取得又は再度の自動取得を実行するように構成されていてもよい。
【００１５】
また、これら構成のディジタル放送受信装置は、地上ディジタル放送を受信する携帯型又は移動型として構成されていてもよい。
【発明の効果】
【００１６】
以上説明したように、この発明によれば、番組情報を効率的に取得することが可能であり、番組情報取得のための動作時間を短くして電力消費を抑制することができるという効果を奏する。
【発明を実施するための最良の形態】
【００１７】
以下、この発明の実施形態のディジタル放送受信装置を図１乃至図３に基づいて説明する。なお、ここでは、ＴＶ付き携帯電話として構成された地上ディジタル放送受信装置を例示している。
【００１８】
図１はＴＶ付き携帯電話１０を示したブロック図である。このＴＶ付き携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１９】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００２０】
デマルチプレクサ（ＤＥＭＵＸ）３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００２１】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２２】
映像処理回路５はＡＶデコーダ４から映像データを受け取り、例えば、ＲＧＢデータを生成する。ＲＧＢデータは前記表示部３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２３】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面やＥＰＧ画面などの表示が行えることになる。
【００２４】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）、放送波から取り出した番組情報などが格納される。
【００２５】
ＣＰＵ１３は、外部入出力インターフェイス９を介して電話機能部３０と情報の遣り取りを行う。また、ＣＰＵ１３は、ディジタル放送受信部２０によるチャンネルサーチ処理及びそのサーチ結果（チャンネルテーブル）を利用した選局処理等を行うことが可能である。
【００２６】
ここで、メニュー画面上の項目として、「ＥＰＧ自動取得」といった名称の項目が用意されている。ユーザは、ＥＰＧ自動取得を行うときには、メニュー画面を呼び出し、「ＥＰＧ自動取得」の項目にカーソルを載せて決定キーを押下すればよい。この実施形態では、メニュー画面の表示処理はＣＰＵ１３が行うこととしており、ユーザによるキー操作情報は制御部３１を介してＣＰＵ１３に与えられる。ＣＰＵ１３は、「ＥＰＧ自動取得」が選択されたとき、「自動取得タイミングを設定します」といったメッセージの下に、「時間入力」「番組数入力」「履歴選択」といった項目を並べた次画面を表示する。
【００２７】
ユーザによって「時間入力」が選択されたとき、ＣＰＵ１３は時間入力枠を画面に表示し、指定時間となる数字キーの入力を待つ。ユーザは、取得した番組情報のなかの最も後に放送される番組の終了時刻（又は開始時刻又は開始時刻と終了時刻の中間時刻等）の２４時間前に番組情報自動取得を実行させたいのであれば、「２４」といった数字を入力する。この場合、ＣＰＵ１３は、図示しないタイマー（カレンダ機能部）を監視し、各チャンネルについて、取得した番組情報のなかの最も後に放送される番組の終了時刻（又は開始時刻又は開始時刻と終了時刻の中間時刻等）の２４時間前になると、番組情報の自動取得を実行する。番組情報の取得処理は、対象となるチャンネルの放送波を受信するためのチューニング処理、受信した放送波からＰＳＩ／ＳＩ等を分離する処理、分離したＰＳＩ／ＳＩ等（番組情報）をメモリ１４に格納する処理等からなる。
【００２８】
ユーザによって「番組数入力」が選択されたとき、ＣＰＵ１３は番組数入力枠を画面に表示し、番組数となる数字キーの入力を待つ。ユーザは、取得した番組情報のなかの最も後に放送される番組の１０番組前に番組情報自動取得を実行させたいのであれば、「１０」といった数字を入力する。この場合、ＣＰＵ１３は、図示しないタイマー（カレンダ機能部）を監視し、各チャンネルについて、取得した番組情報のなかの最も後に放送される番組の１０番組前となる時刻（当該番組の開始時刻又は終了時刻又はそれらの中間時刻等）に、番組情報の自動取得を実行する。
【００２９】
ユーザによって「履歴選択」が選択されたとき、ＣＰＵ１３は番組情報が取得できたときの時刻の履歴をメモリ１４に記憶させるための手段として機能する。この履歴の記録は、チャンネルごとに行うこととしている。そして、この場合、ＣＰＵ１３は、対象チャンネルについて、取得した番組情報のなかの最も後に放送される番組の終了時刻（又は開始時刻又は開始時刻と終了時刻の中間時刻等）から所定時間前（例えば、２４時間前）の範囲内で前記履歴により最も良く番組情報を取得できた時刻を、番組情報の自動取得の開始タイミングとする。
【００３０】
また、ＣＰＵ１３は、上記自動取得タイミングの設定がユーザによってなされると、次に、「取得不可時の再取得タイミングを設定します」といったメッセージの下に、「時間入力」「履歴選択」といった項目を並べた次画面を表示する。
【００３１】
ユーザによって「時間入力」が選択されたとき、ＣＰＵ１３は時間入力枠を画面に表示し、指定時間となる数字キーの入力を待つ。ユーザは、番組情報の自動取得処理で番組情報を取得できなかった場合に、この処理時から１時間後に再取得を実行させたいのであれば、「１」といった数字を入力する。この場合、ＣＰＵ１３は、図示しないタイマー（カレンダ機能部）を監視し、番組情報を取得できなかったチャンネルについて、前記処理時から１時間後に番組情報の再取得処理を実行する。
【００３２】
ユーザによって「履歴選択」が選択されたとき、ＣＰＵ１３は番組情報が取得できたときの時刻の履歴をメモリ１４に記憶させるための手段として機能する。この履歴の記録は、チャンネルごとに行うこととしている。そして、この場合、ＣＰＵ１３は、番組情報を取得できなかったチャンネルについて、前記取得処理から所定時間（例えば、３時間）の範囲内で前記履歴により最も良く番組情報を取得できた時刻に再度の取得処理を試みる。
【００３３】
図３のフローチャートは番組情報の取得処理の一例を示している。まず、ユーザは先述したように、メニュー画面を呼び出し、「ＥＰＧ自動取得」の項目において設定を行う（ステップＳ１）。自動取得の設定がＯＮでない場合には（ステップＳ２でＮＯ）、手動による番組情報取得モードへ移行する（ステップＳ３）。自動取得の設定がＯＮである場合には（ステップＳ２でＹＥＳ）、番組情報の自動取得処理を行う（ステップＳ４）。なお、購入当初の自動取得処理においては、チャンネルサーチと共に有局チャンネルの番組情報の取得処理を実行するようにしてもよい。また、その後においては、対象となるチャンネルについて番組情報の自動取得処理を実行する。この取得処理で番組情報が得られなかった場合には（ステップＳ５でＮＯ）、例えば１時間待機し（ステップＳ６）、ステップＳ４に戻り、再度の取得処理を行う。一方、前記取得処理で番組情報が得られた場合には、番組情報をメモリ１４に記憶すると共に、この番組情報のなかで最も後に放送される番組の終了時刻を記憶する（ステップＳ７）。各チャンネルについて、前記番組情報のなかで最も後に放送される番組の終了時刻の２４時間前の時刻になると（ステップＳ８でＹＥＳ）、ステップＳ４に戻り、番組情報の自動取得処理を行う。なお、上記処理は、放送視聴状態（ＴＶ付き携帯電話１０のＴＶ起動時）において行うことに限定するものではなく、放送視聴状態でなくても自動的に放送受信のための回路（チューナ２等）を起動して前記の自動取得又は再度の自動取得を実行するようにしてもよい。勿論、この場合には、自動取得の処理後には、放送受信のための回路（チューナ２等）をＯＦＦする。
【００３４】
このように、番組情報の自動取得処理の実行日時は、以前に取得した番組情報に基づいて設定されるので、単に定期的に取得処理を行う場合に比べて、取得処理の回数を少なくできる可能性があり、チューナ２等の電力消費を抑制することが可能になる。
【００３５】
上記の例では、ＴＶ付き携帯電話として説明したが、携帯型或いは移動型のディジタル放送受信装置として構成してもよい。また、携帯型或いは移動型に限らず、据え置き型のディジタル放送受信装置としてもよい。また、地上波ディジタル放送に限らず、衛星（ＣＳ／ＢＳ）ディジタル放送の受信装置としても構成できる。なお、番組情報取得のためのチューナ起動による電力消費は、携帯型或いは移動型の地上波ディジタル放送受信装置において問題となり易いので、このような構成において本願発明の利点がより発揮される。
【図面の簡単な説明】
【００３６】
【図１】この発明の実施形態のＴＶ付き携帯電話を示したブロック図である。
【図２】この発明の実施形態のＴＶ付き携帯電話の放送受信部を示したブロック図である。
【図３】この発明の実施形態の処理内容を示したフローチャートである。
【符号の説明】
【００３７】
１０    携帯電話
２０    ディジタル放送受信部
３０    電話機能部
３１    制御部
３２    無線通信部
【図１】
2006165675.tif 000003
【図２】
2006165675.tif 000004
【図３】
2006165675.tif 000005